(57)【要約】【課題】より高品位の化粧板を従来と同じ部品点数で提供する。【解決手段】右化粧板１４に施した着色加工を、左右扉の合わせ部に近いラウンド部１９以外の外観面２０までとし、前記ラウンド部１９は透明樹脂として残すことにより、右化粧板１４に施された着色加工に深み感が増す効果を得ることができる。また、右化粧板１４のラウンド１９部の奥行き方向背面に、透明樹脂のリブ２１により厚みをもたせて深みを持たせることにより、化粧板への着色加工にさらなる深み感が増す効果を得ることができる。【選択図】図２
2006038250.tif 000002
【特許請求の範囲】
【請求項１】
冷蔵庫正面に取付けた化粧板を、表面に着色加工した透明樹脂により構成し、化粧板の端面に透明部を残しその他の部分を着色範囲とすることを特徴とする冷蔵庫扉の化粧板。
【請求項２】
化粧板の透明部背面に樹脂の厚みを持たせることを特徴とする請求項１記載の冷蔵庫扉の化粧板。
【請求項３】
着色加工をフィルムインサート成形とすることを特徴とする請求項１記載の冷蔵庫扉の化粧板。
【請求項４】
フィルムインサート成形のフィルムにＵＶ印刷によるドット処理をしたことを特徴とする請求項３記載の冷蔵庫扉の化粧板。
【請求項５】
両開き扉における両方の扉のハンドル側に化粧板を配置することにより、両化粧板に一体感を持たせた仕様とし、透明部を両扉の合わせ部側に配置することを特徴とする請求項１記載の冷蔵庫扉の化粧板。
【発明の詳細な説明】
【技術分野】
【０００１】
本発明は、冷蔵庫扉の化粧板に関するものである。
【背景技術】
【０００２】
従来、この種の冷蔵庫扉の化粧板は、透明樹脂または着色樹脂の表面に、塗装やインモールド成形、またはフィルムインサート成形等の二次加工を施すことにより、化粧板の表面に深み感や光沢感を持たせることが一般的である。（例えば、特許文献１参照）
図３は、特許文献１に記載された従来の冷蔵庫の化粧板を示すものである。図３に示すように前面板１と、断熱材を閉塞する扉キャップ２とこの扉キャップ２の前方に収納空間を有して係合固着され扉の全幅に沿って配設された化粧板３より構成されている。一般的に扉化粧板３は、外観全面に塗装やインモールド成形、またはフィルムインサート成形等の着色加工をすることにより外観品位を高めている。
【特許文献１】特開２００４−０４４９８０号公報
【発明の開示】
【発明が解決しようとする課題】
【０００３】
しかしながら、上記従来の構成では化粧板への着色加工が化粧板表面全面に施されているために、化粧板の深み感というものは、表面への着色加工方法により決まってしまい、より深み感のある化粧板を提供するには、裏インモールド等の加工方法を用いるため、部品数が増えるという課題を有していた。
【０００４】
本発明は、上記従来の課題を解決するもので、部品数や二次加工数を増やすことなく、着色加工により得ることができる深み感に、さらに深みのある意匠性の高い化粧板を提供することができる。
【課題を解決するための手段】
【０００５】
上記従来の課題を解決するために、本発明は、化粧板を透明材料で構成し、化粧板端面に透明部を残しその他の部分に着色加工したものである。
【発明の効果】
【０００６】
本発明の冷蔵庫扉の化粧板は、部品数や二次加工数を増やすこのなく、着色加工により得ることができる深み感に、さらに深みのある意匠性の高い化粧板を提供することができる。
【発明を実施するための最良の形態】
【０００７】
請求項１に記載の発明は、冷蔵庫正面に取付けた化粧板を、表面に着色加工した透明樹脂により構成し、化粧板の端面に透明部を残しその他の部分を着色範囲とすることにより、着色加工により得ることができる深み感に、さらに深みのある意匠性の高い化粧板を提供することができる。
【０００８】
請求項２に記載の発明は、請求項１の発明において、化粧板の透明部背面に樹脂の厚みを持たせることにより、透明部の深み感を増す効果を得ることが可能となり、表面着色加工により得ることができる深み感に、さらに深みのある意匠性の高い化粧板を提供することができる。
【０００９】
請求項３に記載の発明は、請求項１の発明に、着色部のみに印刷加工したＰＥＴフィルムをインサート成形することにより、さらに深みのある意匠性の高い化粧板を提供することができる。
【００１０】
請求項４に記載の発明は、請求項３の発明において、フィルムインサート成形のフィルムにＵＶ印刷によるドット処理をすることにより、さらに深みのある意匠性の高い化粧板を提供することができる。
【００１１】
請求項５に記載の発明は、請求項１の発明において、両開き扉における両方の扉のハンドル側に化粧板を配置することにより、両化粧板に一体感を持たせた仕様とし、透明樹脂部を両扉の合わせ部側に配置することにより隣接した扉同士の段差を目立たなくすることができる。
【００１２】
以下、本発明の実施の形態について、図面を参照しながら説明する。なお、この実施の形態によってこの発明が限定されるものではない。
【００１３】
（実施の形態１）
図１は、本発明の実施の形態１における冷蔵庫の正面図を示すものである。図２は、同実施の形態１における冷蔵室扉の断面図を示すものである。
【００１４】
図１において、冷蔵庫本体４の上段に右冷蔵室扉５、左冷蔵室扉６が備えられている。右冷蔵室扉５は冷蔵庫本体４に取付けられた右ヒンジ７を軸に、左冷蔵室扉６は冷蔵庫本体４に取付けられた左ヒンジ８を軸に回転し扉が開閉する。
【００１５】
図２において、前記右冷蔵室扉５は右前面板９と、断熱材１０を閉塞するように設けた右扉キャップ１１と、内板１２により構成され、前記右扉キャップ１１には、操作基板ユニット１３を配置する空間を確保するように右化粧板１４が固定されている。また、前記左冷蔵室扉６も右冷蔵室扉５同様に左前面板１５と、断熱材１０を閉塞するように設けた左扉キャップ１６と、内板１７と、左化粧板１８より構成される。前記右化粧板１４、左化粧板１８は透明樹脂により構成され、着色加工してある。
【００１６】
以上のように構成された冷蔵庫について、以下その動作、作用を説明する。右化粧板１４に施した着色加工を、左右扉の合わせ部に近いラウンド部１９以外の外観面２０までとし、前記ラウンド部１９は透明樹脂として残すことにより、右化粧板１４に施した表面着色加工に深み感が増す効果を得ることができる。また、右化粧板１４のラウンド１９部の奥行き方向背面に、透明樹脂のリブ２１により厚みをもたせることにより、化粧板への表面着色加工にさらなる深み感が増す効果を得ることができる。また、右化粧板１４の着色加工をＰＥＴフィルム２２によるフィルムインサート成形とし、ＰＥＴフィルム２２への印刷範囲は、左右扉の合わせ部に近いラウンド１９以外の外観面２０までとし、ラウンド部１９は透明のＰＥＴフィルムにより表面処理することにより、さらに深み感のある化粧板を得ることができる。また、フィルムインサート成形のＰＥＴ箔２２に、ＵＶ印刷によるドット処理により陰影を持たせたものを用いることにより、さらに深み感のある化粧板をえることができる。また、両開き扉における両方の扉のハンドル側辺に化粧板を配置することにより、両化粧板に一体感を持たせた仕様にし、前記ラウンド部１９を両扉の合わせ部側に配置することにより、右冷蔵室扉５と左冷蔵室扉６に奥行き方向での扉段差が発生した際、段差を目立たなくする効果を得ることができる。
【産業上の利用可能性】
【００１７】
以上のように、本発明にかかる化粧板は、高い品位の要求される外観化粧板に用いることができるため、冷蔵庫以外の家庭用電気製品の分野にも適用できる。
【図面の簡単な説明】
【００１８】
【図１】本発明の実施の形態１における冷蔵庫の正面図
【図２】同実施の形態１における化粧板部の断面図
【図３】従来例の化粧板部の断面図
【符号の説明】
【００１９】
４    冷蔵庫本体
５    右冷蔵室扉
６    左冷蔵室扉
７    右ヒンジ
８    左ヒンジ
９    右前面板
１０    断熱材
１１    右扉キャップ
１２    内板
１３    操作基板ユニット
１４    右化粧板
１５    左前面板
１６    左扉キャップ
１７    内板
１８    左化粧板
１９    ラウンド部
２０    外観面
２１    透明樹脂のリブ
２２    ＰＥＴフィルム
【図１】
2006038250.tif 000003
【図２】
2006038250.tif 000004
【図３】
2006038250.tif 000005